【事件の表示】
　平成　３年特許願第　６６１０８号「選局装置」拒絶査定に対する審判事件［平成　４年１０月２６日出願公開、特開平　４−３０１９８３］について、次のとおり審決する。
【結　論】
　本件審判の請求は、成り立たない。
【理　由】
１　本願発明
　本願は、平成３年３月２９日の出願であって、その請求項１に係る発明は、平成１２年１月１７日、平成１２年９月４日、平成１４年４月１日付けの手続補正書により補正された明細書および図面の記載からみて、特許請求の範囲の請求項１に記載された次のとおりのものと認める。（以下「本願発明」という。）
「【請求項１】　表示を指示する機能および画面のページめくりを指示する機能を有した第１のボタンと、選局を指示する第２のボタン群とを備える遠隔操作手段と、
　前記第１のボタンにより表示を指示されたとき前記第２のボタン群のそれぞれのボタンに対応する放送局の名称または略称を画面に一覧表示する手段と、
　前記第２のボタン群の任意のボタンが押されたときに該ボタンに対応する前記放送局を選局する手段と、
　前記第１のボタンにより画面のページめくりを指示されたとき前記一覧表示画面のページをめくる手段とを備え、
　前記表示手段は、前記遠隔操作手段に備えられた前記第２のボタン群の配置と対応するように放送局の名称または略称を画面に一覧表示するものである
　ことを特徴とする選局装置。」
　
 ２　刊行物発明
 （１）これに対して、当審拒絶理由で引用された、本願の出願日前である平成３年３月２５日に頒布された「特開平３−６８２２１号公報」（以下「刊行物１」という。）は、「テレビ受像機用選局装置」に関するものであって、その公報には次の事項が記載されている。
ア　「従来、次のような選局システムが一般的であった。(1)複数個（通常、１２個程度）のボタンを設け、各々に受信周波数をプリセットしておく、選局時は、それらの中から所望のボタンを押す。…（中略）…しかし、近い将来、衛星放送やＣＡＴＶの発達により放送局数が増加した場合、(1)のシステムは既存のボタン数以上の局に対応できず、…（中略）…本発明はこのような問題を解決し、多数の放送局に対応することができ、なおかつ、容易に選局することのできる選局システム提供することを目的とする。」（１頁右下欄１７行ないし２頁左下欄３行）
イ　「受信時に選局を行う時は、リスト表示手段Ｍ３が、受像機ＤＰ上にその割当番号及び／又はコード名の一覧表（リスト）を表示する。従って、視聴者は、この画面上のリストを見ながら、所望の放送局を、上記番号又はコード名を用いて選局することができる。…（中略）…第２図（ａ）は、本発明を実施したテレビ受像機のチューナ関連部分のブロック図である。本テレビ受像機は、マイコンＩＣ１４で制御される電子チューナ１６を使用し、選局には赤外線方式のリモコン装置１０を用いるものである。まず、チューナのプリセットを行う。プリセットは、図示せぬ受像機本体のつまみを用いて、マイコンＩＣ１４が準備する各同調ポジションに対して受信周波数を定めていく。各同調ポジションに対しては、更に、１つの参照番号（通常はチャンネル番号）を与える。このプリセットされた同調周波数及び参照番号は、不揮発性メモリ（Ｅ２ＰＲＯＭ）２０に記憶される。また、リモコンパッド１０からは、上記参照番号の他に、コード名（局名等）も記憶させることができる。」（２頁右下欄１３行ないし３頁左上欄２０行、第２図（ａ））
ウ　「選局の際には、リモコンパッド１０の英文字キー１０ａを用いてプリセットしたコード名を入力すると、その英文字が信号化されて赤外線により受像機本体に送られる。この赤外線を受けたリモコン（Ｒ／Ｃ）受光アンプ１２は、コード名を復元し、マイコンＩＣ１４に送る。マイコンＩＣ１４は、Ｅ２ＰＲＯＭ２０からこのコード名に対応する電圧値を読み出し、アナログ化して電子チューナ１６に送る。その後は、通常のテレビ受像機と同様、チューナ１６により選択された受信信号がＩＦ部１８，ビデオ信号処理部２４により処理されて、ＣＲＴ２６上に映像出力される。本実施例の選局システムでは、視聴者がコード名を忘れたときに選局を助けるために、ＣＲＴ上にプリセットした放送局のリストを表示することができる。…（中略）…視聴者が、リモコンパッド１０のリストキー１０ｂを押したとき（ステップ＃３０）、Ｅ２ＰＲＯＭ２０に記憶されている参照番号とコード名がマイコンＩＣ１４により読み出され、キャラクタージェネレータ２２を介してビデオ信号処理部２４に出力される。これにより、第４図(a)に示すようなプリセットされた参照番号とコード名の一覧表が所定の様式で通常の映像に重畳されてＣＲＴ２６上に表示される（ステップ＃３２）。従って、視聴者はこの局名リストを見ることにより、入力すべきコード名を直ちに知ることができる。なお、上記例では、英文字のコード名で選局を行う例を示したが、もちろん、単なる参照番号だけで選局を行う場合にも、この画面上のリスト表示は有用なものである。」（３頁右上欄１８行ないし３頁右下欄７行、第４図（ａ）、第７図）
エ　これらの記載事項からして、刊行物１には、「衛星放送やＣＡＴＶの発達により放送局数が増加した場合、多数の放送局に対応することができ、なおかつ、容易に選局することのできる選局システムであって、
　マイコンＩＣ１４で制御される電子チューナ１６を使用し、選局には赤外線方式のリモコン装置１０を用いるものであって、マイコンＩＣ１４が準備する各同調ポジションに対して受信周波数を定めていくものであり、各同調ポジションに対しては、更に、１つの参照番号（通常はチャンネル番号）を与え、このプリセットされた同調周波数及び参照番号は、不揮発性メモリ（Ｅ２ＰＲＯＭ）２０に記憶され、リモコンパッド１０からは、上記参照番号の他に、コード名（局名等）も記憶させることができ、
　選局の際には、リモコンパッド１０の英文字キー１０ａを用いてプリセットしたコード名を入力すると、その英文字が信号化されて赤外線により受像機本体に送られ、この赤外線を受けたリモコン（Ｒ／Ｃ）受光アンプ１２は、コード名を復元し、マイコンＩＣ１４に送り、マイコンＩＣ１４は、Ｅ２ＰＲＯＭ２０からこのコード名に対応する電圧値を読み出し、アナログ化して電子チューナ１６に送り、その後は、通常のテレビ受像機と同様、チューナ１６により選択された受信信号がＩＦ部１８，ビデオ信号処理部２４により処理されて、ＣＲＴ２６上に映像出力され、視聴者がコード名を忘れたときに選局を助けるために、ＣＲＴ上にプリセットした放送局のリストを表示することができ、
　視聴者が、リモコンパッド１０のリストキー１０ｂを押したとき、Ｅ２ＰＲＯＭ２０に記憶されている参照番号とコード名がマイコンＩＣ１４により読み出され、キャラクタージェネレータ２２を介してビデオ信号処理部２４に出力されることにより、プリセットされた参照番号とコード名の一覧表が所定の様式で通常の映像に重畳されてＣＲＴ２６上に表示され、
　視聴者が、この画面上の一覧表（リスト）を見ながら、所望の放送局を、上記番号又はコード名を用いて選局することができるテレビ受像機用選局装置」（以下「刊行物発明」という）が記載されていると認められる。
（２）また、当審拒絶理由に引用された、本願の出願日前である昭和５６年５月１５日に頒布された「実願昭５４―１３８０５８号（実開昭５６−５６２７２号）のマイクロフィルム」（以下「刊行物２」という。）は、「テレビジョン受信機のリモコン装置」に関するものであって、そのマイクロフィルムには、次の事項が記載されている。
ア　「一つのＣＲＴの画面上に複数局の映像を小分割画像としてほぼ同時に映出できるテレビジョン受像機に於いて、前記受像機に用いるリモコン送信機のチャンネル選択部を、ＣＲＴ画面上の複数局の小分割画像の位置と対応させて配置したことを特徴としたテレビジョン受像機のリモコン装置。」（実用新案登録請求の範囲、第１図）
イ　「４はリモコン送信機でありそのパネル表面のチャンネル指示釦はＡ〜Ｉで構成される各分割画面２の位置に対応させてＡ〜Ｉ迄の選局釦５を配置する。」（明細書４頁１５行ないし１８行）
ウ　したがって、当該刊行物には、「テレビジョン受信機のリモコン装置において、リモコン送信機のチャンネル指示釦が、ＣＲＴ画面上の複数局の分割画面の位置に対応させて配置されている」点が記載されていると認められる。
（３）また、当審拒絶理由に引用された、本願の出願日前である昭和６３年８月４日に頒布された「特開昭６３−１８９０８４号」（以下「刊行物３」という。）は、「文字放送受信機」に関するものであって、その公報には、次の事項が記載されている。
ア　「ＣＲＴＣ（１９）にはＶ−ＲＡＭ（２６）が結合されるとともに、前記ＴＶインターフェース（２５）とＲＧＢエンコーダ（２７）が結合され、このＴＶインターフェース（２５）とＲＧＢエンコーダ（２７）はＴＶ接続端子（２８）（２９）に結合されている。…（中略）…リモコン（３０）は第２図に示すように、…（中略）…ページのアップ・ダウンキー（３８）を具備し、さらに必要に応じて従来通りのテンキー（３５）を設けてもよい。」（３頁左上欄２０行ないし右上欄１２行、第２図）
イ　したがって、当該刊行物には、「ＴＶを使用する文字放送受信機において、リモコンにページアップ・ダウンキーを具備する」点が記載されていると認められる。
　
３　本願発明と刊行物発明との対比
　本願発明と刊行物発明を対比すると、
（１）刊行物発明の「リモコンパッド」において、画面のページめくりを指示する機能はないものの、「キー」は本願発明の「ボタン」に相当している。また、選局の際には、上記リモコンパッド１０のキー１０ａを用いてプリセットしたコード名あるいは参照番号を入力すると、（上記リモコンパッドで指定した）英文字あるいは参照番号が信号化されて赤外線により受像機本体に送られるものであるから、刊行物発明の「リモコンパッド」は本願発明の「遠隔操作手段」に相当しているといえる。
　また、上記リモコンパッドのリストキーを押したとき、Ｅ２ＰＲＯＭに記憶されている参照番号とコード名の一覧表（リスト）が所定の様式で通常の映像に重畳されてＣＲＴ２６上に表示されるものであり、上記リモコンパッド１０からは、上記参照番号の他に、コード名（局名等）も記憶させることができ、記憶された、所望の放送局に対応する上記参照番号のキーを押すことにより、上記参照番号を用いて選局することができるものである。
　そして、リモコンパッドは選局にも使用されることは上記のとおりであるから、刊行物発明は、本願発明の「表示を指示する機能を有した第１のボタンと、選局を指示する第２のボタン群とを備える遠隔操作手段」に対応する構成を有している。
（２）刊行物発明の「リストキー」を押したとき、Ｅ２ＰＲＯＭに記憶されている参照番号とコード名の一覧表（リスト）が所定の様式で通常の映像に重畳されてＣＲＴ２６上に表示されるものであり、リモコンパッドのキー（ボタン）は上記（１）に述べたように、上記参照番号のキーが各放送局に対応するから、刊行物発明は、「第１のボタンにより表示を指示されたとき前記第２のボタン群のそれぞれのボタンに対応する放送局の名称または略称を画面に一覧表示する手段」に相当する構成を有している。
（３）刊行物発明の「テレビ受像機用選局装置」は、本願発明の「選局装置」に相当する。
（４）したがって、両者は「表示を指示する機能を有した第１のボタンと、選局を指示する第２のボタン群とを備える遠隔操作手段と、前記第１のボタンにより表示を指示されたとき前記第２のボタン群のそれぞれのボタンに対応する放送局の名称または略称を画面に一覧表示する手段と、前記第２のボタン群の任意のボタンが押されたときに該ボタンに対応する前記放送局を選局する手段と、を備え、前記表示手段は、放送局の名称または略称を画面に一覧表示するものであることを特徴とする選局装置。」である点で一致し、次の点で相違しているものと認められる。
　ア　本願発明は、「表示を指示する機能および画面のページめくりを指示する機能を有した第１のボタンを有し、前記第１のボタンにより画面のページめくりを指示されたとき前記一覧表示画面のページをめくる手段とを備え」るものであるところ、刊行物発明は、表示を指示する機能を有するキーは画面のページめくりの機能を有しない点で相違している。
　イ　表示手段の一覧表示について、放送局の名称または略称の表示が、本願発明は、「遠隔操作手段に備えられた第２のボタン群の配置と対応」するものであるのに対し、刊行物発明は、そのようなものではない点で相違している。
　
４　相違点についての検討
（１）相違点アについて
　刊行物発明は、「衛星放送やＣＡＴＶの発達により放送局数が増加した場合、多数の放送局に対応することができ、なおかつ、容易に選局することのできる選局システム」である。
　そして、放送局が多数となれば１画面上で表示できないことは技術常識であるところ、刊行物３には、ＴＶを使用する文字放送受信機において、リモコンにページアップ・ダウンキーを具備する点が開示されており、当該ページアップキーは、本願発明の、ページめくりを指示する機能を有したボタンに相当するとともに、刊行物発明も刊行物３のものもテレビジョン画面上における文字情報の表示においてかわりないから、当該キー（ボタン）を採用してページめくりにより複数画面で表示するようにすることは、当業者にとって容易に推考できたものである。
　また、表示を指示する機能を有するボタンに画面のページめくりを指示する機能のボタンを割り当ててボタンを兼用する点については、リモコン装置（遠隔操作手段）の大きさ、ボタンの大きさ、数等を考慮して適宜選択しうる設計的な事項にすぎない。
　なお、意見書において、この点につき、省スペース化、利便性向上を主張しているが、上記のごとく遠隔操作手段の大きさ、ボタンの大きさをどのように設計するかにともなってボタンの数も考慮するものと解されるから、ボタンを兼用するかどうかは設計的事項という他ない。また、ボタンの兼用は、かえってそのボタンの機能が煩雑になるということもあり、利便性がかならずしも向上するともいえないので、この点も格別なものということができない。
（２）相違点イについて
　刊行物２には、「テレビジョン受信機のリモコン装置において、リモコン送信機のチャンネル指示釦が、ＣＲＴ画面上の複数局の分割画面の位置に対応させて配置されている」点が開示されており、ＣＲＴ画面上の放送局の表示位置に、リモコン装置（本願発明の遠隔操作手段に相当する）のチャンネル指示釦（本願発明の第２ボタン群に相当する）が対応しているのであり、刊行物発明、刊行物２のものはいずれも、テレビジョン受像機のリモコン装置についてのものであるから、刊行物２のものを刊行物発明の遠隔操作手段に採用することは、当業者が容易に推考し得たものである。
　そして、これらを総合的に考慮しても、上記相違点は、当業者が容易に推考できたものであり、また、上記相違点に基づく本願発明の効果に格別顕著なものは認められない。
　
５　むすび
　したがって、本願発明は、刊行物に記載された発明に基いて当業者が容易に発明をすることができたものであるので、特許法第２９条第２項の規定により特許を受けることができない。
　よって、結論のとおり審決する。